(57)【特許請求の範囲】
【請求項１】
吊元側縦枠の見込面からドア面内方向に向けて金属又は合成樹脂製長尺のカバープレートをドア開方向への付勢状態でドア開閉方向回動自在に突出配置するとともに該カバープレートの自由端を該ドアの見付面に対接摺動するようにドア開閉に応じて常時追従回動自在とすることによって、吊元側縦枠とドアの吊元側見込面間の開閉空隙を封鎖自在としてなり、
上記カバープレートのドア開方向付勢状態でのドア開閉方向回動自在の突出配置を、スプリング丁番の羽根を吊元側縦枠とカバープレートにそれぞれ固定して行なってなり、
上記吊元側縦枠に対するスプリング丁番の羽根の固定を、吊元側縦枠にネジ止めした座板を用い、該座板の固定片に上記羽根をネジ止めして吊元側縦枠に形成した開口に挿入して該吊元側縦枠に直交配置することによって行なってなることを特徴とするドア吊元側指挟み防止装置。
【請求項２】
上記カバープレートを、室外側に向けて屈曲乃至湾曲形成することによってその自由端をドア面に対接摺動する断面形状としてなることを特徴とする請求項１に記載のドア吊元側指挟み防止装置。
【請求項３】
上記カバープレートの自由端に、摺接部材を配置して該自由端を被覆してなることを特徴とする請求項１又は２に記載のドア吊元側指挟み防止装置。
【発明の詳細な説明】
【技術分野】
【０００１】
本発明は、玄関ドア乃至室内ドアの開閉時に吊元側縦枠とドアの吊元側見込面間に生じる開閉空隙を封鎖して、該開閉空隙による指挟みを防止するようにしたドア吊元側指挟み防止装置に関する。
【背景技術】
【０００２】
この種のドア吊元側指挟み防止装置として、下記特許文献１は、吊元側縦枠の見込面からドア面内方向に向けて長尺の柔軟性ある薄板によって形成した柔軟性部材をドアに向けて突出配置するとともにその自由端をドアの吊元側端部に配置した収納溝に収納するように、ドア開閉に応じて自由端を収納溝内で面方向に揺動屈伸することによって上記開閉空隙を封鎖するようにしたものとされている。
【先行技術文献】
【特許文献】
【０００３】
【特許文献１】特開平１０−１０２８９８号公報
【発明の概要】
【発明が解決しようとする課題】
【０００４】
この場合、吊元側縦枠とドア間の開閉空隙を封鎖することが可能となるが、柔軟性部材は、例えば合成樹脂、ゴム、弾性金属板等によって形成するものとされるから、材料によっては揺動屈伸を繰り返すことによって柔軟性部材が疲労し破断して、耐久性に欠ける可能性があること、ドアの吊元側端部に収納溝を配置する必要があるから、ドアの構造が複雑化するとともに収納溝に異物が入り込んで誘導屈伸の障害となる可能性があること等の問題点を残したものとなり易い。
【０００５】
本発明は係る事情に鑑みてなされたもので、その解決課題とするところは、可及的簡易な構造にして耐久性に優れ、また、ドアの開閉角度に拘らず常に開閉空隙の封鎖を確実になし得るようにしたドア吊元側指挟み防止装置を提供するにある。
【課題を解決するための手段】
【０００６】
上記課題に沿って本発明は、金属又は合成樹脂製長尺のカバープレートをドア開方向に向けて付勢した状態でドア開口を吊元側で画する吊元側縦枠に回動自在にドア開口側に突出配置して、その自由端をドアの見付面に対接摺動するように該カバープレートをドア開閉に応じて追従して回動させ、これによって上記開閉空隙を封鎖して、該開閉空隙に指が挟まれるのを防止するようにしたものであって、即ち請求項１に記載の発明を、吊元側縦枠の見込面からドア面内方向に向けて金属又は合成樹脂製長尺のカバープレートをドア開方向への付勢状態でドア開閉方向回動自在に突出配置するとともに該カバープレートの自由端を該ドアの見付面に対接摺動するようにドア開閉に応じて常時追従回動自在とすることによって、吊元側縦枠とドアの吊元側見込面間の開閉空隙を封鎖自在としてなり、上記カバープレートのドア開方向付勢状態でのドア開閉方向回動自在の突出配置を、スプリング丁番の羽根を吊元側縦枠とカバープレートにそれぞれ固定して行なってなり、上記吊元側縦枠に対するスプリング丁番の羽根の固定を、吊元側縦枠にネジ止めした座板を用い、該座板の固定片に上記羽根をネジ止めして吊元側縦枠に形成した開口に挿入して該吊元側縦枠に直交配置することによって行なってなることを特徴とするドア吊元側指挟み防止装置としたものである。
【０００８】
請求項２に記載の発明は、同じく上記に加えて、カバープレートを、その自由端のドア見付面に対する摺動対接を常に安定且つ確実に行うとともにドアの開成角度が、例えば１／４円を超えるときでも該自由端の摺動対接を行って常に開閉空隙を封鎖状態に維持する好ましい断面形状のものとするように、これを、上記カバープレートを、室外側に向けて屈曲乃至湾曲形成することによってその自由端をドア面に対接摺動する断面形状としてなることを特徴とする請求項１に記載のドア吊元側指挟み防止装置としたものである。
【００１０】
請求項２に記載の発明は、同じく上記に加えて、ドア見付面に対するカバープレート自由端の摺動対接に起因して生じることある摺動対接音やドア見付面への傷等の発生可能性を予防し、自由端のスムーズな摺動対接を可能とするように、これを、上記カバープレートの自由端に、摺接部材を配置して該自由端を被覆してなることを特徴とする請求項１又は２に記載のドア吊元側指挟み防止装置としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、金属又は合成樹脂製長尺のカバープレートをドア開方向に向けて付勢した状態でドア開口を吊元側で画する吊元側縦枠に回動自在にドア開口側に突出配置して、その自由端をドアの見付面に対接摺動するように該カバープレートをドア開閉に応じて追従して回動させ、これによって上記開閉空隙を封鎖して、該開閉空隙に指が挟まれるのを防止するようにして、可及的簡易な構造にして耐久性に優れ、また、ドアの開閉角度に拘らず常に開閉空隙の封鎖を確実になし得るようにしたドア吊元側指挟み防止装置を提供することができる。
【００１３】
また、請求項１に記載の発明は、上記に加えて、カバープレートの突出配置を、簡易且つ確実に行ってその付勢状態での開閉方向回動自在性を確保したものとすることができる。さらに、請求項１に記載の発明は、同じく上記に加えて、スプリング丁番を用いるとき、その付勢力を可及的確実に確保し、ドア開閉への追従回動性を可及的に大きく確保した吊元側縦枠への固定をなし得るものとすることができる。
【００１４】
請求項２に記載の発明は、同じく上記に加えて、カバープレートを、その自由端のドア見付面に対する摺動対接を常に安定且つ確実に行うとともにドアの開成角度が、例えば１／４円を超えるときでも該自由端の摺動対接を行って常に開閉空隙を封鎖状態に維持する好ましい断面形状のものとすることができる。
【００１６】
請求項３に記載の発明は、同じく上記に加えて、ドア見付面に対するカバープレート自由端の摺動対接に起因して生じることある摺動対接音やドア見付面への傷等の発生可能性を予防し、自由端のスムーズな摺動対接を可能とすることができる。
【図面の簡単な説明】
【００１７】
【図１】カバープレートの配置状態を示す枠付きドアの内観図である。
【図２】座板使用の枠付きドアの部分横断面図である。
【図３】ドア開閉とカバープレートの関係を示す横断面図である。
【図４】座板の斜視図である。
【図５】他の例の座板使用の枠付きドアの部分横断面図である。
【図６】カバープレート非設置の場合の枠付きドアの部分横断面図である。
【図７】マグネット使用の枠付きドアの部分横断面図である。
【図８】ドア開閉とカバープレートの関係を示す横断面図である。
【発明を実施するための形態】
【００１８】
以下図面の例に従って本発明を更に具体的に説明すれば、図１乃至図４においてＡは、ドア枠１の吊元側縦枠１１にドア２をヒンジ１３によって吊支持し、ドア吊元側指挟み防止装置を備えた玄関用の枠付きドアであり、該枠付きドアＡの上記指挟み防止装置は、吊元側縦枠１１の見込面からドア面内方向に向けて金属又は合成樹脂製長尺のカバープレート３をドア開方向への付勢状態でドア開閉方向回動自在に突出配置するとともに該カバープレート３の自由端を該ドア２の見付面に対接摺動するようにドア開閉に応じて常時追従回動自在とすることによって、吊元側縦枠１１とドア２の吊元側見込面間の開閉空隙を封鎖自在としたものとしてある。
【００１９】
本例の枠付きドアＡは、鋼板を折曲加工し長手方向端部を溶着して枠組みした鋼製のドア枠１と、鋼板を折曲加工した中骨２１に鋼板による表裏の表面板２２を配置し、図示省略の断熱防音材を充填して形成した鋼製のドア２を備えたものとしてあり、ドア枠１の室内側に気密材１２を装着し、該気密材１２にドア２の室内側見付面端部を対接することによって気密性を確保するようにしたものとしてある。このとき該枠付きドアＡは、図示省略のドアクローザーを設置してあり、このため該ドアクローザーがドア２を自動閉鎖するに際して、吊元側縦枠１１とドア２の吊元側見込面間の開閉空隙を強制縮小して該ドア２の閉成を行うために、ドア閉成時にドア２の裏面において幼児や児童を含めた人の指が上記開閉空隙に挟まれ、場合によっては骨折に至る怪我をする危険性があるところ、ドア吊元側に上記指挟み防止装置を備えることによって、指の挿入を不能として該危険性を解消し、ドア開閉に伴って不可避的に生じる該開閉空隙の安全性を確保したものとしてある。
【００２０】
該枠付きドアＡに設置した該カバープレート３は、ドア２の高さと同等の長さとし又はこれより短尺にするも、幼児や児童を含めた人の手が触れる範囲の長さ、例えば、ドア２の下端位置又は該下端より幾分、例えば１０ｃｍ程度の下方位置から１乃至１．５ｍ程度の長さとしてあり、本例にあっては下方位置から１．２乃至１．４ｍ程度の長さとしてある。このとき、該カバープレート３の幅は、これを、例えば１０〜２０ｃｍ程度、本例にあっては１３ｃｍ程度としてあり、これによって該カバープレート３は、上下方向に一連に開閉空隙を封鎖する長尺帯状のものとしてある。
【００２１】
該カバープレート３は、１〜２ｍｍ程度の肉厚を有する金属、例えば板加工を施した鋼製又はアルミ製とし又は押出材によるアルミ製のものとしてあり、このとき該カバープレート３は、これを、室外側に向けて屈曲乃至湾曲形成することによってその自由端をドア２の見付面に対接摺動する断面形状としたものとしてある。従って、カバープレート３は、へ字状、Ｖ字状等の断面形状とし、また、湾曲皿状、椀状等の断面形状をなすものとしてあり、本例にあって該カバープレート３は鈍角、例えば１３０〜１４０°程度に屈曲した略Ｖ字状の断面形状をなすものとしてある。このとき該カバープレート３は、その自由端に、摺接部材３１を配置して該自由端を被覆したものとしてあり、該摺接部材３１は、摩擦抵抗が可及的に小さく且つ自由端の対接摺接に際して騒音を発しないように、例えば合成樹脂、合成ゴム等の材料を用いて自由端に被嵌固定したものとしてある。
【００２２】
本例にあって、該カバープレート３の上記ドア開方向付勢状態でのドア開閉方向回動自在の突出配置は、これを、スプリング丁番３２の羽根を吊元側縦枠１１とカバープレート３にそれぞれ固定して行なってある。即ち、スプリング丁番４を用いることによって、カバープレート３をドア開方向への付勢状態として、その上記常時の追従回動自在性を確保してその吊元側縦枠１１への設置をなし得るようにしてある。
【００２３】
このとき該吊元側縦枠１１に対するスプリング丁番４の羽根の固定は、これを、吊元側縦枠１１にネジ止めした座板５を用い、該座板５の固定片５２に上記羽根をネジ止めして吊元側縦枠１１に形成した開口に挿入して該吊元側縦枠１１に直交配置することによって行なったものとしてある。
【００２４】
本例にあって座板５は、金属板、例えばステンレス板に切り起し加工を施し、中間の矩形透孔５１とその片側縁部から背面側に固定片５２を起立し、矩形透孔５１の上下及び固定片５２にネジ透孔５３を配置したものとしてあり、スプリング丁番４の一方の羽根を該固定片５２に重合してネジ止めし、スプリング丁番４の軸部と他方の羽根を正面側に突出した状態として、吊元側縦枠１１の開口、即ち、該吊元側縦枠１１の室内側見込面に形成した矩形開口から、固定片５２及びこれに固定した一方の羽根を挿入して、矩形透孔５１の上下のネジ透孔５３から吊元側縦枠１１にネジ止めしてあり、また、スプリング丁番４の他方の羽根には、カバープレート３の一端を重合し、例えばボルトナットによって締着固定したものとしてある。これによって、吊元側縦枠１１に対する座板５を介したスプリング丁番４の固定及び該スプリング丁番４に対するカバープレート３の固定を行ったものとしてある。
【００２５】
従って、スプリング丁番４は、その上記他方の羽根及びこれに固定したカバープレート４をドア開方向に付勢して、その付勢力によってカバープレート３の自由端がドア２の見付面に対接摺動し、ドア２の閉成、本例にあってはドアクローザーによる閉成によって付勢力を蓄積するものとなる。このとき、スプリング丁番４の一方の羽根を、吊元側縦枠１１の室内側見込面に直交配置したものとするから、例えば、該一方の羽根を吊元側縦枠１１の室内側見込面に平行配置した場合に比して、他方の羽根、即ちカバープレート３の回動範囲を、ドア２が閉成した状態から開成した状態に至るドア２の開閉角度の全体に亘る追従回動性を確保することが可能となり、従って、ドア２の開閉途中でカバープレートの付勢力がなくなり、カバープレート３の追従回動性が損なわれ、カバープレート３とドア２の見付面間に空隙を生じるといったトラブルのないものとすることができる。
【００２６】
このとき、カバープレート３を屈曲乃至湾曲、本例にあっては略Ｖ字状のものとしたことによって、自由端位置が、他方の羽根から更にドア２側に変位する結果、ドア２の開閉角度を１／４円を超えるように開成した場合でも、なお追従回動性を確保したものとすることができる。
【００２７】
本例の枠付きドアＡは、予めドア枠１の吊元側縦枠１１に上記開口を工場で形成したものとすることによって、その鋼製のドア枠１とドア２を新築の建造物に設置する新設用のものとし、カバープレート３を付属乃至オプションとして供給することができるが、更に、上記開口をドア枠１の吊元側縦枠１１に対して現場で透設して形成するようにすれば、既設の枠付きドア１にカバープレート３を後付設置するものとすることができ、また、既設の枠付きドアＡのドア枠１を残存して、例えばプレスドアの如き既設のドアを撤去して、これに交換的に新設鋼製のドア２を設置するドア改装に際して、同様にカバープレート３を設置することができる。
【００２８】
図５及び図６は、座板５を、吊元側縦枠１１の工場で透設形成した開口に嵌め込み用に構成し、これにスプリング丁番４を固定した例と、このときのカバープレート３をオプションとすることによって該カバープレート３を非設置としたときに該開口を化粧蓋５６で閉塞した例を示したもので、本例にあって座板５は、その外形を吊元側縦枠１１の開口に合せて、該開口に嵌め込み用のものとすることによって、上記図１乃至４の座板５と同様の形状とするも、これとは外形寸法において異なるものとしてあり、このとき、吊元側縦枠１１の開口裏には、上下の突片５５を備えたボックス５４を固定してあり、上記座板５を開口に嵌め込み、その上下のネジ孔から該上下の突片５５に対するネジ止めによって座板５を吊元側縦枠１１に対して、その見込面と面一とするように外観よく固定するものとしてある。その余は上記図１乃至４の例と変らないので、同一符号を付して重複する説明を省略する。
【００２９】
一方、カバープレート３を非設置としたときの化粧蓋５６は、同じく開口に嵌め込み用とし、面内に上下のネジ孔を透設したステンレス等の矩形プレートとしてあり、該化粧蓋５６による開口の閉塞は、上記座板５と同様にネジ孔から上下の突片５５に対するネジ止めによって該化粧蓋５６を同じく見込面に面一とするように外観よく固定して、これを行うものとしてある。
【００３０】
図７及び図８は、吊元側縦枠１１に対するカバープレート３設置の他の例を示したもので、本例にあって、上記吊元側縦枠１１に対するスプリング丁番４の羽根の固定は、これを、該羽根又はこれに設置した支持板６にマグネット７を配置し、吊元側縦枠１１に対する磁力吸着によって行なったものとしてあり、これによって、本例のカバープレート３は、現場での開口透設等の工事を伴うことなく、例えば日曜大工的な作業により可及的簡易に後付設置し得るようにしたものとしてある。
【００３１】
本例にあって吊元側縦枠１１に対するスプリング丁番４の羽根の固定は、カバープレート３と同長の支持板６を用い、該支持板６の背面にマグネット７、例えばゴムマグネットを一体的に固定するとともに該支持板６にスプリング丁番４の一方の羽根を固定することによって行ってある。
【００３２】
本例にあって支持板６は、吊元側縦枠１１の見込面に沿う支持基板６１と、該支持基板６１の室外端部に、例えば直交するように交差突出して、吊元側縦枠の気密材受溝の起立突起に引掛係止することによって該支持板６設置の位置決めを行う引掛片６２と、支持基板６１の室内端から該支持基板６１に沿って折り返して、該支持基板６１との間に上記一方の羽根を受け入れる受溝を形成した折返し板６３とを備えて、カバープレート３と同長にして、例えば押出材によるアルミ又は合成樹脂製のものとしてある。
【００３３】
マグネット７は、上記支持板６と同長のものを用いて、上記支持基板６１の背面、即ち、吊元側縦枠１１との対向面に、例えば接着によって一体的に固定してあり、上記支持基板６１と折返し片６３間の受溝にスプリング丁番４の一方の羽根を挿入して、該折返し片６３に該一方の羽根をネジ止めすることによって、該支持板６に対してスプリング丁番４を固定し、また、該支持板６に固定したスプリング丁番４の他方の羽根にカバープレート３の端部を重合してネジ止めすることによって該スプリング丁番４にカバープレート３の一端を固定してある。このとき、スプリング丁番４は、上記図１乃至図５の場合と内外を逆向きとするように、その一方の羽根を吊元側縦枠１１と平行に配置することによって、上記と同様にドア開方向に向けて付勢したものとしてある。
【００３４】
これにより、マグネット７を、吊元側縦枠１１の見込面に磁力吸着することによって、カバープレート３を吊元側縦枠１１に設置して、上記図１乃至図４の例と同様に該カバープレート３の自由端をドア２の見付面に対接摺動するようにドア開閉に応じてこれに常時追従回動自在としたものとしてある。
【００３５】
本例にあっては、カバープレート３設置の簡易性に加えて、カバープレート３を取り外した後に再設置する如くに着脱自在性が得られるから、例えば、カバープレート３の清掃や洗浄を行うに適したものとすることができる。
【００３６】
その余は変らないので、同じく同一符号を付して重複する説明を省略する。
【００３７】
図示した例は以上のとおりとしたが、上記ドア開方向に付勢状態でドア開閉方向回動自在に突出配置したカバープレートを、アルミ又は合成樹脂の押出材によるプレート本体と取付材を備えた２部材によって形成し、これら２部材を、これらにそれぞれ配置した軸受と支軸による長手方向全長の全面丁番により連結するとともにこれら２部材間に上記付勢力を付与するスプリングを配置したものとすること、指挟み防止装置を、ドアクローザーを設置しない木製ドア枠と木製ドアによる室内ドアに適用すること等を含めて、本発明の実施に当って、吊元側縦枠、ドア、カバープレート、必要に応じて用いるスプリング丁番、支持板、マグネット、摺接部材等の各具体的構造、材質、形状、寸法、これらの関係、これらに対する付加等は上記発明の要旨に反しない限り様々な形態とすることができる。
【符号の説明】
【００３８】
Ａ  枠付きドア
１  ドア枠
１１  吊元側縦枠
１２  気密材
１３  ヒンジ
２  ドア
２１  中骨
２２  表面板
３  カバープレート
３１  摺接部材
４  スプリング丁番
５  座板
５１  矩形透孔
５２  固定片
５３  ネジ透孔
５４  ボックス
５５  突片
５６  化粧蓋
６  支持板
６１  支持基板
６２  引掛片
６３  折返し板
７  マグネット
【図１】
0005619496.tif 000002
【図２】
0005619496.tif 000003
【図３】
0005619496.tif 000004
【図４】
0005619496.tif 000005
【図５】
0005619496.tif 000006
【図６】
0005619496.tif 000007
【図７】
0005619496.tif 000008
【図８】
0005619496.tif 000009